(57)【特許請求の範囲】
【請求項１】
薬剤を識別する識別情報を入力する入力手段と、
前記入力手段から入力された識別情報から薬剤を識別する識別手段と、
前記識別手段が識別した薬剤が、患者に関する患者情報と、予め定められた薬剤に関する情報とを参照して、当該薬剤が適切な薬剤であることの度合いを示す関連度を判定する判定手段と、
前記判定手段が判定した関連度とともに当該関連度に示す度合いに至った理由を報知する報知手段と、
前記識別手段が識別した薬剤を登録する登録手段と、
前記登録手段が登録した薬剤の一覧を出力するともに、前記報知手段が報知した薬剤に第１マークを付加して出力する出力手段と、
を備え、
前記出力手段は、前記報知手段が報知した薬剤について前記登録手段による登録が取り止められた場合に、前記登録手段が新たに入力された薬剤を登録したことを条件に、新たに登録された当該薬剤に第２マークを付加して出力する、
薬剤登録装置。
【請求項２】
前記判定手段は、２以上の段階で関連度を判定する、
請求項１に記載の薬剤登録装置。
【請求項３】
前記判定手段は、前記識別手段が識別した薬剤が、前記患者情報と、薬剤に関する情報とを参照して、患者に投与される予定の薬剤に含まれていない場合に報知が必要であると判定する、
請求項１または２に記載の薬剤登録装置。
【請求項４】
前記判定手段は、前記識別手段が識別した薬剤が、前記患者情報と、薬剤に関する情報とを参照して、患者の疾患に対して使用が禁止されている場合に報知が必要であると判定する、
請求項１〜３の何れか一項に記載の薬剤登録装置。
【請求項５】
前記判定手段は、前記識別手段が識別した薬剤が、前記患者情報と、薬剤に関する情報とを参照して、患者に投与される予定の薬剤と併用して使用することが注意または禁止されている場合に報知が必要であると判定する、
請求項１〜４の何れか一項に記載の薬剤登録装置。
【請求項６】
コンピュータを、
薬剤を識別する識別情報を入力する入力手段と、
前記入力手段から入力された識別情報から薬剤を識別する識別手段と、
前記識別手段が識別した薬剤が、患者に関する患者情報と、予め定められた薬剤に関する情報とを参照して、当該薬剤が適切な薬剤であることの度合いを示す関連度を判定する判定手段と、
前記判定手段が判定した関連度とともに当該関連度に示す度合いに至った理由を報知する報知手段と、
前記識別手段が識別した薬剤を登録する登録手段と、
前記登録手段が登録した薬剤の一覧を出力するともに、前記報知手段が報知した薬剤に第１マークを付加して出力する出力手段と、
として機能させ、
前記出力手段は、前記報知手段が報知した薬剤について前記登録手段による登録が取り止められた場合に、前記登録手段が新たに入力された薬剤を登録したことを条件に、新たに登録された当該薬剤に第２マークを付加して出力する、
プログラム。
【発明の詳細な説明】
【技術分野】
【０００１】
本発明の実施形態は、薬剤登録装置およびプログラムに関する。
【背景技術】
【０００２】
従来、薬剤監査においては、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
一方、使用した薬剤の登録においては、看護師が、手術で使用された薬剤の空容器を手術後に集め、使用薬剤についての集計結果を伝票に手作業で記入した後、伝票を医事課へ提出する作業を行っていた。そこで、集計作業時においても、薬剤に付されたバーコードを用いて登録を行う装置を導入する方策が考えられる。
【０００４】
しかしながら、薬剤に付されたバーコードを用いて薬剤登録を行うにしても、医師からの投薬指示を聞き間違えたり、薬剤を間違えて棚から取り出してしまったりすることがある。または、薬剤のバーコードブックから別の薬剤を示すバーコードを読ませてしまったりと、読み込ませる薬剤のバーコード自体を間違えると正しく集計作業を行うことができない。
【発明の概要】
【発明が解決しようとする課題】
【０００５】
本発明が解決しようとする課題は、真正の薬剤を登録することが可能な薬剤登録装置およびプログラムを提供することである。
【課題を解決するための手段】
【０００６】
実施形態の薬剤登録装置は、入力手段と、識別手段と、判定手段と、報知手段と、登録手段と、出力手段とを備える。前記入力手段は、薬剤を識別する識別情報を入力する。前記識別手段は、前記入力手段から入力された識別情報から薬剤を識別する。前記判定手段は、前記識別手段が識別した薬剤が、患者に関する患者情報と、予め定められた薬剤に関する情報とを参照して、当該薬剤が適切な薬剤であることの度合いを示す関連度を判定する。前記報知手段は、前記判定手段が判定した関連度とともに当該関連度に示す度合いに至った理由を報知する。前記登録手段は、前記識別手段が識別した薬剤を登録する。前記出力手段は、登録した薬剤の一覧を表示させるとともに、前記報知手段が報知した薬剤に第１マークを付加して薬剤の一覧を出力する。また、前記出力手段は、前記報知手段が報知した薬剤について前記登録手段による登録が取り止められた場合に、前記登録手段が新たに入力された薬剤を登録したことを条件に、新たに登録された当該薬剤に第２マークを付加して出力する。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、電子カルテ情報のデータフォーマットの一例の説明図である。
【図５】図５は、薬剤登録装置の機能構成を示すブロック図である。
【図６】図６は、薬剤登録装置のＭＰＵが制御プログラムに従って実行する使用薬剤登録処理の流れを示すフローチャートである。
【図７】図７は、ログイン画面の一例を示す説明図である。
【図８】図８は、患者登録画面の一例を示す説明図である。
【図９】図９は、薬剤登録開始画面の一例を示す説明図である。
【図１０】図１０は、手入力画面の一例を示す説明図である。
【図１１】図１１は、薬剤選択画面の一例を示す説明図である。
【図１２】図１２は、報知画面の一例を示す説明図である。
【図１３】図１３は、薬剤登録画面の一例を示す説明図である。
【図１４】図１４は、薬剤情報が印字された使用品伝票を示す正面図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、看護師によって手術中に使用された薬剤の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１２】
装置本体部２４は、オペレータとなる看護師が各種操作を行うとともに、使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１７】
ここで、タッチパネルディスプレイ２１、スキャナ２２、プリンタ２３、スピーカ３７及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、音による報知などに使用される。
【００１８】
なお、タッチパネルディスプレイ２１は、表示部であるディスプレイ３５及びタッチパネル３６を主体に構成されている。
【００１９】
また、記憶部である外部記憶装置３４は、使用薬剤記憶テーブルＴと、薬剤マスタＤＢ１と、電子カルテ情報ＤＢ２とを備える。使用薬剤記憶テーブルＴは、使用された薬剤についての集計結果を記憶する。薬剤マスタＤＢ１は、予め薬剤に関する情報が記憶されている。具体的には、薬剤マスタＤＢ１は、コード情報と、薬剤名称と、薬剤情報とを関連付けて記憶する。コード情報は、薬剤を識別するための識別子である。例えば、コード情報は、バーコードに付されている番号である。または、例えば、コード情報は、薬剤の外面情報などであってもよい。電子カルテ情報ＤＢ２は、電子カルテサーバ１１から取得した患者に関する情報を記憶する電子カルテである。図４は、電子カルテ情報ＤＢ２のデータフォーマットの一例の説明図である。
【００２０】
患者情報である電子カルテ情報ＤＢ２は、少なくとも、患者ＩＤと、疾患情報と、薬剤情報と、特記事項と、を有する。患者ＩＤは、患者を識別する情報である。疾患情報とは、患者が有している疾患や、診療の経過などの記録である。薬剤情報は、投与予定の薬剤に関する情報である。特記事項とは、投与する薬剤を策定する際に注意すべき患者の注意事項である。例えば、特記事項とは、アレルギー情報、妊娠情報、宗教情報、ドーピング情報などである。
【００２１】
アレルギー情報とは、患者がアレルギーを起こす薬剤に関する情報である。妊娠情報とは、患者者が妊娠または授乳期間中であるか否かを示す情報である。宗教情報とは、患者が宗教上の理由で禁止されている薬剤があるか否かを示す情報である。ドーピング情報とは、患者がスポーツ選手の場合などドーピングを防止するために禁止されている薬剤があるか否かを示す情報である。
【００２２】
このような構成により、薬剤登録装置２０のＭＰＵ３１は、ＲＯＭ３２や外部記憶装置３４に記憶された制御プログラムに従って動作することで、使用された薬剤の登録支援を行う。
【００２３】
次に、実施形態にかかる薬剤登録装置２０が有する特徴的な機能について説明する。図５は、薬剤登録装置２０の機能構成を示すブロック図である。ＭＰＵ３１は、ＲＯＭ３２や外部記憶装置３４に記憶された制御プログラムに従って動作することで、図５に示すように、登録手段３１１と、表示制御手段３１２と、読取手段３１３と、識別手段３１４と、印字制御手段３１５と、通信手段３１６と、判定手段３１７と、報知手段３１８と、として機能する。
【００２４】
読取手段３１３は、スキャナ２２がスキャンした撮像画像から、薬剤を識別する識別情報を読み取る。具体的には、読取手段３１３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。なお、薬剤を識別する識別情報は、使用された薬剤に付されているコードシンボルに記載されたコード番号を手入力で入力してもよい。
【００２５】
識別手段３１４は、読取手段３１３による読み取り結果として得られた識別情報（コード情報または外面情報）に基づいて薬剤を識別して薬剤情報を抽出する。また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２６】
表示制御手段３１２は、表示部であるディスプレイ３５に、識別手段３１４が識別した薬剤情報の表示を制御する。
【００２７】
印字制御手段３１５は、印字部であるプリンタ２３を制御して、識別手段３１４が識別した薬剤情報を印字させる。
【００２８】
通信手段３１６は、登録された患者ＩＤの電子カルテ情報ＤＢ２を電子カルテサーバ１１から取得する。
【００２９】
判定手段３１７は、識別手段３１４が識別した薬剤が、電子カルテ情報ＤＢ２と、薬剤マスタＤＢ１とを参照して、適切な薬剤であることの度合いを示す関連度を判定する。関連度は、３段階で判定される。具体的には、関連度は、識別手段３１４が識別した薬剤の使用が禁止される低程度と、識別手段３１４が識別した薬剤の使用に確認を求める中程度と、識別手段３１４が識別した薬剤の使用に問題がない高程度と、を有する。判定手段３１７は、適切な薬剤であることの度合いを示す関連度が低程度と、中程度との場合に、報知が必要であると判定する。そして、判定手段３１７は、患者の疾患と、投与予定の薬剤と、併用禁忌との観点で判定を行う。判定手段３１７は、関連度を２以上の複数の段階で判定することにより、薬剤を投与する危険度に応じた内容を報知することが可能となる。
【００３０】
判定手段３１７は、識別手段３１４が識別した薬剤が、患者の疾患に対して使用が禁止されている場合には、関連度が低程度と判定する。判定手段３１７は、識別手段３１４が識別した薬剤が、患者の疾患に対して通常使用される薬剤でない場合に、関連度が中程度と判定する。例えば、心臓病の患者に対して結核の薬剤を投与している場合などである。判定手段３１７は、識別手段３１４が識別した薬剤が、低程度または中程度でない場合に、高程度と判定する。
【００３１】
判定手段３１７は、識別手段３１４が識別した薬剤が、投与予定の薬剤に含まれていない場合に、関連度が中程度と判定する。判定手段３１７は、識別手段３１４が識別した薬剤が、投与予定の薬剤に含まれている場合に、関連度が高程度と判定する。
【００３２】
判定手段３１７は、識別手段３１４が識別した薬剤が、投与予定の薬剤と併用禁忌に該当する場合には、関連度が低程度と判定する。判定手段３１７は、識別手段３１４が識別した薬剤が、投与予定の薬剤と併用注意に該当する場合には、関連度が中程度と判定する。判定手段３１７は、識別手段３１４が識別した薬剤が、投与予定の薬剤と併用に問題がない場合には、関連度が高程度と判定する。
【００３３】
報知手段３１８は、判定手段３１７が判定した関連度に応じて報知する。具体的には、報知手段３１８は、判定が中程度または低程度の場合に報知する。報知手段３１８は、判定手段３１７が中程度と判定した場合に、注意が必要な旨の報知を行う。報知手段３１８は、判定手段３１７が低程度と判定した場合に、禁止されている旨の報知を行う。報知手段３１８は、画面表示による報知と、音声による報知とを行う。報知手段３１８は、画面表示による報知を行う場合には、判定手段３１７が判定した関連度とともに関連度に示す度合いに至った理由を表示する。理由とは、例えば、併用が禁止されている旨の報知や、患者の疾患には使用が禁止されている旨の報知やなどである。
【００３４】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００３５】
図６は、薬剤登録装置２０のＭＰＵ３１が制御プログラムに従って実行する使用薬剤登録処理の流れを示すフローチャートである。図７に示すように、薬剤登録装置２０のＭＰＵ３１は、初期状態として、ディスプレイ３５にログイン画面を表示する（ステップＳ１）。薬剤登録装置２０の操作が許可されている各オペレータ（看護師）は、ＩＤカードを有し、ＩＤカードの認証により薬剤登録装置２０の操作が可能になるものとする。
【００３６】
図７は、ログイン画面Ｇ１の一例を示す説明図である。ログイン画面Ｇ１には、図７に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００３７】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００３８】
薬剤登録装置２０のＭＰＵ３１は、ログイン処理により看護師ＩＤを認証すると（ステップＳ２；Ｙｅｓ）、ディスプレイ３５の表示画面に患者登録画面を表示する（ステップＳ３）。なお、薬剤登録装置２０のＭＰＵ３１は、看護師ＩＤが認証できない場合に（ステップＳ２；Ｎｏ）、ステップＳ１に戻り、ログイン画面Ｇ１を再度表示する。
【００３９】
図８は、患者登録画面Ｇ２の一例を示す説明図である。患者登録画面Ｇ２には、図８に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００４０】
したがって、オペレータ（看護師）は、患者登録処理を行うために、患者のリストバンドに付されている患者ＩＤのコードシンボルをスキャナ２２の前にかざして、患者ＩＤを読み込ませる。
【００４１】
薬剤登録装置２０のＭＰＵ３１は、患者登録処理により患者ＩＤを登録すると（ステップＳ４；Ｙｅｓ）、電子カルテサーバ１１から患者ＩＤの電子カルテ情報を取得する（ステップＳ５）。なお、薬剤登録装置２０のＭＰＵ３１は、患者ＩＤが登録できない場合（ステップＳ４；Ｎｏ）、ステップＳ３に戻り、患者登録画面Ｇ２を再度表示する。
【００４２】
次いで、薬剤登録装置２０のＭＰＵ３１は、ディスプレイ３５の表示画面に薬剤登録開始画面Ｇ３を表示させる（ステップＳ６）。ここで、図９は、薬剤登録開始画面Ｇ３の一例を示す説明図である。薬剤登録開始画面Ｇ３は、図９に示すように、薬剤のコードシンボルの読み取らせ方が表示される。また、薬剤登録開始画面Ｇ３は、中止ボタンＢ１と、手入力ボタンＢ２とを備えている。中止ボタンＢ１は、薬剤登録を中止するボタンである。手入力ボタンＢ２は、薬剤のコードシンボルに付されているコード番号を手入力で登録する場合に押下するボタンである。
【００４３】
中止ボタンＢ１が押下された場合に（ステップＳ７；Ｙｅｓ）、薬剤登録装置２０のＭＰＵ３１は、薬剤登録中止画面（図示せず）を表示して（ステップＳ８）、薬剤登録を終了する。一方、中止ボタンＢ１が押下されない場合に（ステップＳ７；Ｎｏ）、薬剤登録装置２０のＭＰＵ３１は、手入力ボタンＢ２が押下されるか否か判定する（ステップＳ９）。手入力ボタンＢ２が押下されず（ステップＳ９；Ｎｏ）、スキャナ２２の前に薬剤がかざされた場合に、薬剤登録装置２０のＭＰＵ３１は、コードシンボルを読み取る（ステップＳ１０）。
【００４４】
一方、手入力ボタンＢ２が押下された場合に（ステップＳ９；Ｙｅｓ）、薬剤登録装置２０のＭＰＵ３１は、手入力画面Ｇ４を表示させる（ステップＳ１１）。ここで、図１０は、手入力画面Ｇ４の一例を示す説明図である。手入力画面Ｇ４は、薬剤に付されているコード番号を手入力にて入力する画面である。手入力画面Ｇ４は、「薬剤コードを入力して下さい。」とのガイドメッセージを表示することによりコード番号の入力を求める。また、手入力画面Ｇ４は、数字入力ボタンＢ３と、検索ボタンＢ４と、キャンセルボタンＢ５と、確定ボタンＢ６と、コード番号表示領域Ｒ１と、ガイド表示領域Ｒ２と、を備える。
【００４５】
数字入力ボタンＢ３は、コード番号を入力するボタンである。そして、数字入力ボタンＢ３は、０から９までの数字を入力するボタンと、１文字削除する１文字削除ボタンとを有する。検索ボタンＢ４は、数字入力ボタンＢ３で入力したコード番号と適合するコード番号を検索するボタンである。キャンセルボタンＢ５は、手入力でのコード番号の入力をキャンセルするボタンである。確定ボタンＢ６は、所望の薬剤を選択した場合に薬剤を確定するボタンである。なお、手入力画面Ｇ４において、確定ボタンＢ６は、選択不可能な状態になっている。コード番号表示領域Ｒ１は、数字入力ボタンＢ３にて入力された数値を表示する領域である。ガイド表示領域Ｒ２は、「薬剤についているバーコードの番号を入力して下さい」とのガイドメッセージを表示してオペレータにコード番号の入力を求める画面である。
【００４６】
薬剤登録装置２０のＭＰＵ３１は、キャンセルボタンＢ５が押下されるか否かを判定する（ステップＳ１２）。キャンセルボタンＢ５が押下されない場合に（ステップＳ１２；Ｎｏ）、薬剤登録装置２０のＭＰＵ３１は、ステップＳ１３に移行する。一方、キャンセルボタンＢ５が押下された場合に（ステップＳ１２；Ｙｅｓ）、薬剤登録装置２０のＭＰＵ３１は、手入力画面Ｇ４を消去してステップＳ７に戻る。
【００４７】
次いで、薬剤登録装置２０のＭＰＵ３１は、検索ボタンＢ４が押下されるか否かを判定する（ステップＳ１３）。検索ボタンＢ４が押下されない場合に（ステップＳ１３；Ｎｏ）、薬剤登録装置２０のＭＰＵ３１は、ステップＳ１４に移行する。検索ボタンＢ４が押下された場合に（ステップＳ１３；Ｙｅｓ）、薬剤登録装置２０のＭＰＵ３１は、入力されたコード番号を用いて薬剤マスタＤＢ１を検索する（ステップＳ１５）。検索結果を用いて薬剤登録装置２０のＭＰＵ３１は、薬剤選択画面Ｇ５を表示させる（ステップＳ１６）。
【００４８】
ここで、図１１は、薬剤選択画面Ｇ５の一例を示す説明図である。薬剤選択画面Ｇ５は、図１１に示すように、コード番号表示領域Ｒ１に入力されたコード番号で検索し、適合した薬剤候補から該当する薬剤の選択を求める画面である。薬剤選択画面Ｇ５は、「薬剤候補から当該薬剤を選択して［確定］して下さい」とのガイドメッセージを表示することにより、薬剤候補から該当する薬剤の選択を求める。薬剤選択画面Ｇ５は、数字入力ボタンＢ３と、検索ボタンＢ４と、キャンセルボタンＢ５と、確定ボタンＢ６と、コード番号表示領域Ｒ１と、薬剤候補領域Ｒ６と、を備える。
【００４９】
ここで、手入力画面Ｇ４と共通する部分については、説明を省略する。確定ボタンＢ６は、薬剤を選択すると押下することが可能となる。薬剤候補領域Ｒ６は、薬剤候補と、検索結果とが表示される。薬剤候補は、コード番号表示領域Ｒ１に入力したコード番号と一部が一致した薬剤名称が表示される。検索結果は、検索条件に適合した薬剤の個数を表示する。図１１は、検索条件に適合した薬剤の３個あり、ＢＢＢＢ注射液が選択されている状態を示している。
【００５０】
次いで、薬剤登録装置２０のＭＰＵ３１は、確定ボタンＢ６が押下されるか否かを判定する（ステップＳ１４）。確定ボタンＢ６が押下されない場合に（ステップＳ１４；Ｎｏ）、薬剤登録装置２０のＭＰＵ３１は、ステップＳ１２に戻り、再度処理を行う。確定ボタンＢ６が押下された場合に（ステップＳ１４；Ｙｅｓ）、薬剤登録装置２０のＭＰＵ３１は、ステップＳ１７に移行する。
【００５１】
次いで、薬剤登録装置２０のＭＰＵ３１は、薬剤の関連度が高程度であるか否かを判定する（ステップＳ１７）。薬剤の関連度が高程度であると判定された場合に（ステップＳ１７；Ｙｅｓ）、薬剤登録装置２０のＭＰＵ３１は、ステップＳ１８に移行する。一方、薬剤の関連度が高程度ではないと判定された場合に（ステップＳ１７；Ｎｏ）、薬剤登録装置２０のＭＰＵ３１は、報知画面Ｇ６を表示する（ステップＳ１９）。
【００５２】
ここで、図１２は、報知画面Ｇ６の一例を示す説明図である。報知画面Ｇ６は、図１２の（ａ）に示す関連度が低程度による報知画面Ｇ６と、図１２の（ｂ）に示す関連度が中程度による報知画面Ｇ６とがある。関連度が低程度による報知画面Ｇ６は、登録処理中の薬剤の関連度が低程度の場合に、禁止されていることを報知するために表示される。例えば、関連度が低程度による報知画面Ｇ６は、併用禁忌の薬剤を登録しようとしている場合に表示される。関連度が中程度による報知画面Ｇ６は、登録処理中の薬剤の関連度が中程度の場合に、注意が必要であることを報知するために表示される。例えば、関連度が中程度による報知画面Ｇ６は、併用注意の薬剤を登録しようとしている場合に表示される。
【００５３】
報知画面Ｇ６は、報知レベル領域Ｒ７と、メッセージ領域Ｒ８と、対象薬剤領域Ｒ９と、報知理由領域Ｒ１０と、キャンセルボタンＢ７と、登録ボタンＢ８とを有している。報知レベル領域Ｒ７は、登録処理中の薬剤の関連度に応じた内容が表示される。図１２の（ａ）は、登録処理中の薬剤の関連度が低程度であることから「禁止」と表示される。図１２の（ｂ）は、登録処理中の薬剤の関連度が中程度であることから「警告」と表示される。
【００５４】
メッセージ領域Ｒ８は、「下記薬剤の登録について確認して下さい。」とのメッセージを表示してオペレータ（看護師）に確認を求める領域である。対象薬剤領域Ｒ９は、報知対象の薬剤を表示する領域である。報知理由領域Ｒ１０は、薬剤を報知する理由を表示する領域である。キャンセルボタンＢ７は、登録処理中の薬剤の登録をキャンセルするボタンである。登録ボタンＢ８は、薬剤を登録するボタンである。また、報知画面Ｇ６は、報知内容により色を変えて表示してもよい。これにより、オペレータ（看護師）は、危険性や報知内容を視覚的に知ることが可能となる。
【００５５】
次いで、薬剤登録装置２０のＭＰＵ３１は、キャンセルボタンＢ７が押下されるか否かを判定する（ステップＳ２０）。キャンセルボタンＢ７が押下されない場合に（ステップＳ２０；Ｎｏ）、薬剤登録装置２０のＭＰＵ３１は、ステップＳ２１に移行する。一方、キャンセルボタンＢ７が押下された場合に（ステップＳ２０；Ｙｅｓ）、薬剤登録装置２０のＭＰＵ３１は、薬剤の登録をキャンセルしてステップＳ７に移行する。
【００５６】
次いで、薬剤登録装置２０のＭＰＵ３１は、登録ボタンＢ８が押下されたか否かを判定する（ステップＳ２１）。登録ボタンＢ８が押下されない場合に（ステップＳ２１；Ｎｏ）、薬剤登録装置２０のＭＰＵ３１は、ステップＳ２０に戻り待機する。登録ボタンＢ８が押下された場合に（ステップＳ２１；Ｙｅｓ）、薬剤登録装置２０のＭＰＵ３１は、報知表示マークＭ１、Ｍ２（図１３参照）を付加する設定を行う。
【００５７】
次いで、薬剤登録装置２０のＭＰＵ３１は、登録処理中の薬剤を使用薬剤記憶テーブルＴに登録する（ステップＳ１８）。
【００５８】
次いで、薬剤登録装置２０のＭＰＵ３１は、使用薬剤記憶テーブルＴに登録して薬剤登録画面Ｇ７を表示させる（ステップＳ２３）。ここで、図１３は、薬剤登録画面Ｇ７の一例を示す説明図である。薬剤登録画面Ｇ７は、図１３に示すように、使用薬剤記憶テーブルＴに登録された薬剤の一覧を表示する画面である。薬剤登録画面Ｇ７は、薬剤一覧表示領域Ｒ１１と、報知表示マークＭ１、Ｍ２と、中止ボタンＢ１と、手入力ボタンＢ２と、印刷ボタンＢ９とを備えている。
【００５９】
薬剤一覧表示領域Ｒ１１は、薬剤名と、数量と、合計点数とを表示する領域である。薬剤名は、使用薬剤記憶テーブルＴに登録された薬剤の名称である。数量は、該当する薬剤の数量である。合計点数は、使用薬剤記憶テーブルＴに登録された薬剤の数量の合計である。報知表示マークＭ１、Ｍ２は、禁止を示す報知表示マークＭ１と、警告を示す報知表示マークＭ２とがある。禁止を示す報知表示マークＭ１は、該当する薬剤の関連度が低程度であった場合に表示されるマークである。警告を示す報知表示マークＭ２は、該当する薬剤の関連度が中程度であった場合に表示されるマークである。中止ボタンＢ１および手入力ボタンＢ２は、薬剤登録開始画面Ｇ３における中止ボタンＢ１および手入力ボタンＢ２と同じ機能を有したボタンである。印刷ボタンＢ９は、使用薬剤記憶テーブルＴに登録された薬剤の一覧を使用品伝票として印刷するボタンである。
【００６０】
次いで、薬剤登録装置２０のＭＰＵ３１は、印刷ボタンＢ９が押下されるか否かを判定する（ステップＳ２４）。印刷ボタンＢ９が押下されない場合に（ステップＳ２４；Ｎｏ）、薬剤登録装置２０のＭＰＵ３１は、薬剤登録処理を継続するとしてステップＳ７に戻る。印刷ボタンＢ９が押下された場合に（ステップＳ２４；Ｙｅｓ）、薬剤登録装置２０のＭＰＵ３１は、使用品伝票Ｄを印刷して薬剤登録処理を終了する（ステップＳ２５）。
【００６１】
ここで、図１４は、薬剤情報が印字された使用品伝票Ｄを示す正面図である。図１４に示すように、使用品伝票Ｄは、ヘッダＤ１と、基本情報Ｄ２と、使用薬剤データＤ３と、廃棄品データＤ４と、承認印欄Ｄ５とを備えている。ヘッダＤ１は、伝票名称を印字する領域である。基本情報Ｄ２は、出力日時と、対象期間と、発行場所と、作業者と、患者数とを印字する領域である。
【００６２】
使用薬剤データＤ３は、Ｎｏ列と、薬剤名列と、単位列と、本数列と、定数列と、を印字する。Ｎｏ列は、項目Ｎｏが印字される。項目Ｎｏは、薬剤種別ごとに付与される一連の番号である。薬剤名列は、報知印字マークＭ３、Ｍ４と、薬剤名と、薬剤のコード番号とを印字している。報知印字マークＭ３、Ｍ４は、禁止を示す報知印字マークＭ３と、警告を示す報知印字マークＭ４とがある。禁止を示す報知印字マークＭ３は、該当する薬剤の関連度が低程度であった場合に印字されるマークである。警告を示す報知印字マークＭ４は、該当する薬剤の関連度が中程度であった場合に印字されるマークである。薬剤名は、薬剤の名称である。薬剤のコード番号は、薬剤のコードシンボルに付されている番号である。単位列は、対象の薬剤の使用量の基準を示している。本数列は、対象の薬剤が使用された量を示している。定数列は、対象の薬剤が常備される量を示している。これにより、薬剤部は、薬剤の補充等を行う。
【００６３】
廃棄品データＤ４は、廃棄された薬剤が印字される領域である。承認印欄Ｄ５は、承認印を捺印する欄が印字される領域である。
【００６４】
以上のように、本実施形態によれば、薬剤マスタＤＢ１と、患者の電子カルテ情報ＤＢ２とを有している。また、判定手段３１７は、薬剤マスタＤＢ１および電子カルテ情報ＤＢ２と、を参照することにより、登録処理中の薬剤が適切な薬剤であることの度合いを示す関連度を判定することが可能である。そして、報知手段３１８は、判定手段３１７が判定した関連度とともに関連度に示す度合いに至った理由を報知する。よって、不適切な薬剤を登録しようとすると報知されることから、真正の薬剤を登録することが可能となる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６６】
なお、上記実施形態では、薬剤の登録処理を例に説明している。しかし、薬剤の登録処理以外に使用してもよい。例えば、医師等が指示した薬剤が適切に取り揃えられているか否かを確認する薬剤の監査処理時に使用してもよい。
【００６７】
なお、上記実施形態では、報知された薬剤にマークを付加すると説明している。しかし、報知されたことにより登録を取り止め、代わりに別の薬剤を登録した場合には、変更後の薬剤にマークを付加してもよい。これにより、登録を変更した薬剤が明確になることから医師の確認が容易になる。
【００６８】
なお、上記実施形態では、薬剤マスタＤＢ１および電子カルテ情報ＤＢ２は、外部記憶装置３４に記憶されていると説明している。しかし、薬剤マスタＤＢ１および電子カルテ情報ＤＢ２は、電子カルテサーバ１１や薬剤部サーバ１９に記憶されていてもよい。この場合には、必要に応じて通信インタフェース３８および通信ネットワーク１７を介して、電子カルテサーバ１１や薬剤部サーバ１９にアクセスすればよい。
【００６９】
なお、上記実施形態では、報知画面Ｇ６が表示された場合であっても使用薬剤記憶テーブルＴに登録可能と説明している。しかし、報知画面Ｇ６が表示された場合には登録禁止としてもよい。これにより、さらに厳格に管理を行うことが可能となる。
【００７０】
なお、上記実施形態では、判定手段３１７は、薬剤が適切な薬剤であることの度合いを示す関連度を３段階にて判定している。しかし、関連度は、２段階でもよい。この場合には、禁止されているか否かで判定すればよい。または、関連度は、４段階以上であってもよい。関連度を２段階で設定可能とすることにより、設定や判定が容易になることから、簡易に使用することが可能となる。関連度を４段階以上とした場合には、細かく報知することが可能となることから、適切な報知が可能となる。
【００７１】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７２】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００７３】
２０        薬剤登録装置
３４        外部記憶装置
ＤＢ２      電子カルテ情報
３１７      判定手段
３１８      報知手段
Ｇ６        報知画面
Ｍ１、Ｍ２  報知表示マーク
Ｍ３、Ｍ４  報知印字マーク
Ｄ          使用品伝票
【先行技術文献】
【特許文献】
【００７４】
【特許文献１】特開２００２−１６３３５７号公報
【図１】
0006027510.tif 000002
【図２】
0006027510.tif 000003
【図３】
0006027510.tif 000004
【図４】
0006027510.tif 000005
【図５】
0006027510.tif 000006
【図６】
0006027510.tif 000007
【図７】
0006027510.tif 000008
【図８】
0006027510.tif 000009
【図９】
0006027510.tif 000010
【図１０】
0006027510.tif 000011
【図１１】
0006027510.tif 000012
【図１２】
0006027510.tif 000013
【図１３】
0006027510.tif 000014
【図１４】
0006027510.tif 000015